(57)【特許請求の範囲】
【請求項１】
中空支持体を有する基部材と、前記中空支持体に対し回転自在でかつ回転軸方向に沿って往復動自在となるように支持された操作体とを有し、該操作体は天面部を有する筒状に形成された操作ノブを有すると共に、前記天面部の裏側には、前記天面部に対する手指の接近または接触を検出する板状のタッチパッドが設けられた入力装置において、
前記基部材には、該基部材の内部から前記中空支持体の内方にかけて連通する空間部が形成され、
前記操作ノブには前記天面部の裏面から軸部が垂設され、前記タッチパッドは前記軸部を挿通させて前記空間部内に導く挿通孔を有し、
前記操作体の回転動作を検出する回転検出部と、前記操作体の往復動作を検出する押圧検出部とが設けられ、前記軸部は、前記操作体の回転動作に伴い前記回転検出部に対する回転検出動作をなすコード板と、前記操作体の往復動作に伴い前記押圧検出部に対する押圧検出動作をなす押圧動作部とに、前記空間部の内部で連係され、前記軸部には前記空間部内に配置される連動軸部が連結され、該連動軸部に前記コード板と押圧動作部とが設けられ、前記軸部と連動軸部は、周面に沿って複数のカム面が形成されたカム部により連結され、前記中空支持体には、前記操作体の回転動作に伴い前記カム面に対し係脱する弾性部が設けられることを特徴とする入力装置。
【請求項２】
前記回転検出部と押圧検出部は、前記空間部に臨むように配設されることを特徴とする請求項１記載の入力装置。
【請求項３】
前記操作体は、前記操作ノブを回転可能に支持する支持体を有し、該支持体は、前記操作ノブの回転軸方向に沿って往復動するように前記中空支持体に支持されることを特徴とする請求項１または２記載の入力装置。
【請求項４】
前記支持体と前記操作ノブは、前記支持体に固定される内輪部と、前記操作ノブに固定される外輪部とが互いに回転自在な軸受部により、前記支持体の周面に沿って回転自在とされることを特徴とする請求項３記載の入力装置。
【発明の詳細な説明】
【技術分野】
【０００１】
本発明は、少なくとも回転操作可能な操作体を有する入力装置に関し、特に操作体の裏面側に手指の接近または接触を検出するタッチパッドを設けた入力装置に関する。
【背景技術】
【０００２】
車両のセンターコンソールなどに設けられる入力装置として、基部材に対して回転及び往復動自在な操作体を設けてなり、操作体は天面部を有する円筒状に形成されてなる操作ノブを備え、操作ノブを構成する天面部の裏面側には、天面部に対する手指の接近または接触を検出するタッチパッドを設けて、操作体の回転操作及び押圧操作と共に、操作ノブの天面部に対する手指の接近または接触により入力をなすものが知られている。このような入力装置としては、例えば特許文献１に挙げるようなものがある。
【先行技術文献】
【特許文献】
【０００３】
【特許文献１】国際公開第２０１０／０００２８１号
【発明の概要】
【発明が解決しようとする課題】
【０００４】
タッチパッドを有する入力装置には、タッチパッドを支持する支持体を設ける必要がある。従来の入力装置では、基部材内に支持体を設け、その内部にタッチパッドに対する配線を配置すると共に、操作体の回転操作及び押圧操作を検出する検出部は、支持体の周囲部に配置していた。このため、特に入力装置の径方向において、検出部の配置スペースを外方に確保する必要があり、入力装置の小型化を阻害していた。
【０００５】
本発明は前記課題を鑑みてなされたものであり、回転操作及び押圧操作可能な操作体とタッチパッドを備えつつ、径方向の小型化を図ることのできる入力装置を提供することを目的とする。
【課題を解決するための手段】
【０００６】
前記課題を解決するため、本発明に係る入力装置は、中空支持体を有する基部材と、前記中空支持体に対し回転自在でかつ回転軸方向に沿って往復動自在となるように支持された操作体とを有し、該操作体は天面部を有する筒状に形成された操作ノブを有すると共に、前記天面部の裏側には、前記天面部に対する手指の接近または接触を検出する板状のタッチパッドが設けられた入力装置において、
前記基部材には、該基部材の内部から前記中空支持体の内方にかけて連通する空間部が形成され、
前記操作ノブには前記天面部の裏面から軸部が垂設され、前記タッチパッドは前記軸部を挿通させて前記空間部内に導く挿通孔を有し、
前記操作体の回転動作を検出する回転検出部と、前記操作体の往復動作を検出する押圧検出部とが設けられ、前記軸部は、前記操作体の回転動作に伴い前記回転検出部に対する回転検出動作をなすコード板と、前記操作体の往復動作に伴い前記押圧検出部に対する押圧検出動作をなす押圧動作部とに、前記空間部の内部で連係され、前記軸部には前記空間部内に配置される連動軸部が連結され、該連動軸部に前記コード板と押圧動作部とが設けられ、前記軸部と連動軸部は、周面に沿って複数のカム面が形成されたカム部により連結され、前記中空支持体には、前記操作体の回転動作に伴い前記カム面に対し係脱する弾性部が設けられることを特徴として構成されている。
【０００９】
さらにまた、本発明に係る入力装置は、前記回転検出部と押圧検出部は、前記空間部に臨むように配設されることを特徴として構成されている。
【００１０】
そして、本発明に係る入力装置は、前記操作体は、前記操作ノブを回転可能に支持する支持体を有し、該支持体は、前記操作ノブの回転軸方向に沿って往復動するように前記中空支持体に支持されることを特徴として構成されている。
【００１１】
また、本発明に係る入力装置は、前記支持体と前記操作ノブは、前記支持体に固定される内輪部と、前記操作ノブに固定される外輪部とが互いに回転自在な軸受部により、前記支持体の周面に沿って回転自在とされることを特徴として構成されている。
【発明の効果】
【００１２】
本発明に係る入力装置によれば、操作ノブには天面部の裏面から軸部が垂設され、タッチパッドは軸部を挿通させて空間部内に導く挿通孔を有し、軸部は、操作体の回転動作に伴い回転検出部に対する回転動作をなす回転動作部と、操作体の往復動作に伴い押圧検出部に対する押圧動作をなす押圧動作部とに、空間部を介して連係されることにより、操作体の回転操作や押圧操作の検出に必要な部品を、操作ノブの天面部裏側に設けた静電容量式タッチパッドの下方の空間部、すなわち、基部材の内部から中空支持体の内方にかけて連通する空間部に集約することができ、部品を径方向に広がって配置する必要がないので、径方向の小型化を図ることができる。
【００１３】
また、本発明に係る入力装置によれば、軸部には空間部内に配置される連動軸部が連結され、連動軸部に回転動作部と押圧動作部とが設けられることにより、軸部と連動軸部を容易な構造で連結して、軸部を回転動作部や押圧動作部と簡易な構成で連係させることができる。
【００１４】
さらに、本発明に係る入力装置によれば、軸部と連動軸部は、周面に沿って複数のカム面が形成されたカム部により連結され、中空支持体には、操作体の回転動作に伴いカム面に対し係脱する弾性部が設けられることにより、クリック機構をコンパクトに構成して円滑なクリック感触を付与できると共に、軸部と連動軸部との連結部材がクリック機構を兼ねる構成とすることにより、装置全体を更に小型化できる。
【００１５】
さらにまた、本発明に係る入力装置によれば、回転検出部と押圧検出部は、空間部の外側から空間部の方向に臨むように配設されることにより、部品の配置スペースを効率的にして、小型化を図ることができる。
【００１６】
そして、本発明に係る入力装置によれば、操作体が、操作ノブを回転可能に支持する支持体を有し、支持体は、操作ノブの回転軸方向に沿って往復動するように中空支持体に支持されることにより、操作ノブの回転支持部とは異なる位置にクリック機構を設けることができるので、軸部で回転荷重を受ける必要がなく、軸部を細径としてタッチパッドに形成する挿通孔を小さく形成することができる。
【００１７】
また、本発明に係る入力装置によれば、支持体及び操作ノブが、支持体に固定される内輪部と、操作ノブに固定される外輪部とが互いに回転自在な軸受部により、支持体の周面に沿って回転自在とされることにより、操作ノブのがたつきない円滑な操作を確実に行うことができる。
【図面の簡単な説明】
【００１８】
【図１】本実施形態における入力装置を備えたセンターコンソールの正面図である。
【図２】図１のII−II線に沿う断面図である。
【図３】図１のIII−III線に沿う断面図である。
【図４】図２のうち静電容量式タッチパッド付近の要部拡大断面図である。
【図５】カム部材と中空筒体の模式的な断面図である。
【図６】図２のVI−VI線に沿う要部断面模式図である。
【発明を実施するための形態】
【００１９】
本発明の実施形態について図面に沿って詳細に説明する。図１には、本実施形態における入力装置２を備えたセンターコンソール１の正面図を示している。センターコンソール１は、車両の運転席と助手席の間に配置され、表面には各種入力をなす入力装置２及びスイッチ３が配置されている。
【００２０】
本実施形態の入力装置２は、有底円筒状の操作ノブ２０が車内に露出しており、操作ノブ２０は周方向に沿って回転操作でき、またセンターコンソール１の表面に対し垂直方向に押圧操作することができると共に、操作ノブ２０の天面部２０ｃの表面に手指を接近または接触させることにより、天面部２０ｃの裏側に設けられる板状の静電容量式タッチパッド７（以下単にタッチパッドという；図４）によってこれを検出することができるように構成されている。
【００２１】
図２には図１のII−II線に沿う断面のうち入力装置２付近の拡大図を、図３には図１のIII−III線に沿う断面のうち入力装置２付近の拡大図を、それぞれ示している。本実施形態の入力装置２は、基板１０に載置された中空状の基部材５から起立するよう垂設された中空支持体１１に対し、操作体６が、後述するように回転自在でかつ図２中上下方向（回転軸方向）に往復動自在となるように取付けられて構成される。基板１０の、基部材５の中空内部に臨む領域には、操作体６の回転動作を検出する回転検出部８（図３）と、操作体６の往復動作を検出する押圧検出部９（図２）とが、それぞれ配置される。なお、上述の中空内部は、後述する空間部２１ｆに相当するものであり、基部材５の内部から中空支持体１１の内方にかけて連通する空間部である。回転検出部８は、連動軸部３２に取付けた円筒状のコード板３３の下端側（スリット３３ａが形成されている側）を挟んで対向する受光素子及び発光素子を備えたフォトインタラプタで構成され、押圧検出部９は、押圧スイッチとして構成されている。
【００２２】
操作体６は、天面部２０ｃを有した有底筒状に形成される操作ノブ２０と、軸受部２２を介して操作ノブ２０を回転自在に保持する中空筒状の支持体２１とで構成されている。一方、支持体２１は、中空支持体１１（基部材５）に対して操作ノブ２０と共に図中上下方向（回転軸方向）に往復動自在である。したがって、操作ノブ２０は支持体２１に対し周方向にのみ沿って回転自在であることにより、基部材５に対しても回転自在となっている。
【００２３】
図６には、図２のVI−VI線に沿う要部断面模式図を示している。図６に示すように、支持体２１は、その内周面（内壁）に上下方向に延びる複数の凹溝（凹部）２１ａを有し、基部材５に垂設した中空支持体１１は、その外周面（外壁）に各凹溝２１ａに案内されるよう係合するガイドレール（凸部）１１ａを有する。かかる構成によって、支持体２１は、中空支持体１１（基部材５）対して操作ノブ２０と共に図中上下方向のみに往復動自在に確実にかつ安定に支持される。なお、それら凹溝２１ａ及びガイドレール１１ａは、凹溝が中空支持体１１の外壁に形成され、ガイドレールが支持体２１の内壁に形成された構成であってもよい。また、中空支持体１１は、操作体支持部としての機能、すなわち、操作体６を上下方向のみに往復動自在に支持する機能を有することから、中空筒状に形成されていてもよい。また、支持体２１が横断面多角形状の空間を有し、中空支持体１１が支持体２１の空間形状に倣う外形状を有する構成であってもよい。
【００２４】
基部材５には、操作体６が回転自在でかつ上下方向に往復動自在となる位置に中空支持体１１が形成されている。中空支持体１１は、周面に段差を有して形成されており、この中空支持体１１の外方に、その周面を覆うように支持体２１が設けられる。支持体２１は中空筒状であるから、その内部に空間部２１ｆを形成する。
【００２５】
図２に示すように、基部材５のうち中空支持体１１の基端側部分の外方には、凹状に形成された収納部１２が周方向に１８０度の角度をなすように形成されている。支持体２１の下端部には、収納部１２内に納められる下端突部２１ｃが形成されており、この下端突部２１ｃは収納部１２内を上下に移動することができる。また、下端突部２１ｃの下端部には、本発明における弾性体として、コイルばねからなる押圧弾性体２４を保持する下弾性体保持部２１ｄが形成されている。押圧弾性体２４は、支持体２１が下方に移動すると、それに対する反発力を発生する。
【００２６】
このように支持体２１は、収納部１２によって基部材５に対し上下に移動自在とされると共に、押圧弾性体２４を介して基部材５に支持されているから、操作体６の押圧操作により基部材５に対し下方に移動し、押圧操作が解除されると押圧弾性体２４の反発力により元の位置に戻る往復動が可能となっている。
【００２７】
操作ノブ２０は、天面部２０ｃを有する上部部材２０ａと、上部部材２０ａの下部に固定されて基部材５内に挿入される下部部材２０ｂとからなっている。
【００２８】
操作ノブ２０の下部部材２０ｂは、支持体２１の外径よりも大きい径を有して、支持体２１の外周面と対向している。操作ノブ２０を支持体２１に対して回転自在とする軸受部２２は、リング状の軸受部材からなり、外輪部２２ａと内輪部２２ｂが互いに回転自在となるように構成されている。具体的には、転がり軸受、すべり軸受、磁気軸受、流体軸受などを用いることができる。
【００２９】
軸受部２２の外輪部２２ａは、その外周面が操作ノブ２０（下部部材２０ｂ）の内面側に固定され、軸受部２２の内輪部２２ｂは、その内周面が支持体２１の外面側に固定される。これにより、操作ノブ２０は支持体２１に対し周方向に回転自在となるように保持される。
【００３０】
このように、操作体６は、支持体２１と操作ノブ２０で構成され、支持体２１は押圧弾性体２４を介して基部材５に支持され、かつ、中空支持体１１に沿って上下方向に往復動自在となるように構成され、操作ノブ２０は、軸受部材２２を介して支持体２１に対し回転自在に構成されることにより、操作ノブ２０が基部材５に対して往復動をなす支持体２１に対し回転自在に取付けられる構造となる。したがって、本実施形態の入力装置は、操作ノブ２０の往復動及び回転操作が、従来技術のように、中空円筒状の軸受部と、軸受部に外挿される円筒状の操作体（操作軸）との間の隙間のみを介して行う場合に比べて、それぞれの操作を別の構成において確実に行うことができるから、がたつきなく円滑な操作を可能とすることができる。
【００３１】
次に、タッチパッド７の支持構造について説明する。図４には、図２のうちタッチパッド７付近の拡大図を示している。支持体２１の上端部には、コイルばねからなる支持弾性体２３を保持する突起状の上弾性体保持部２１ｅが形成されている。支持体２１は、後に詳述するように、支持弾性体２３を介してタッチパッド７を天面部２０ｃの内面に押付けるように押圧・支持している。なお、発光体１７ａによって天面部２０ｃを照明しない構成であれば、反射体３０を介在させず、弾性体保持部２１ｅをタッチパッド７に直接押付けるようにしてもよい。
【００３２】
タッチパッド７は、図示しない駆動電極及び検出電極を一側の面に並べて敷設したフィルム基板７ｂを回路基板７ｃに貼付して板状に形成されると共に、下面側には合成樹脂からなるリング状の反射体３０が取付けられている。反射体３０には、タッチパッド７の下面と当接する当接部３０ｂが形成され、当接部３０ｂには、天面部２０ｃに向けて突出する係合突部３０ａと、図中下方へ向けて突出する筒状突出部３０ｃとが形成されており、タッチパッド７に対面する側に反射層（図示略）が形成されている。係合突部３０ａがタッチパッド７の下面に形成される被係合孔７ｄに嵌合されることで、タッチパッド７と反射体３０は一体化されている。なお、図４に示すように、上弾性体保持部２１ｅの先端部は筒状突出部３０ｃの中空部に嵌入されており、支持弾性体２３は圧縮状態で保持される。図３に示すように、タッチパッド７を構成する回路基板７ｃの下面側には、ＬＥＤからなる発光体１７ａが設けられており、反射体３０は発光体１７ａからの光を、操作ノブ２０の側壁に向け反射させて、その表面側に出射させることができる。また、操作ノブ２０の天面部２０ｃは、基板１０上の発光体１７ｂの光が、透光性樹脂からなる連動軸部３２と軸部２０ｇとを経て、その一部が外方へ導出されるよう構成されている。発光体１７ａ、１７ｂは、操作体６の操作中あるいは操作の結果を受けて適宜発光させることができる。
【００３３】
上述のように、支持体２１が保持する支持弾性体２３は、タッチパッド７と一体化された反射体３０に対して弾接することで、タッチパッド７を操作ノブ２０の天面部２０ｃに対して押付ける方向に常時弾性付勢しつつ支持している。これにより、仮に操作ノブ２０が基部材５（中空支持体１１）に対して傾いたとしても、タッチパッド７と操作ノブ２０の天面部２０ｃとの間の隙間を均一に保つことができ、天面部２０ｃに対する手指の接近または接触時において、タッチパッド７から安定的な出力を得ることができるので、簡単な構成でタッチパッド７からの出力を安定化させることができる。
【００３４】
また、操作ノブ２０は支持体２１に対して回転自在なのに対し、タッチパッド７は支持体２１に支持されているから、回転時において操作ノブ２０はタッチパッド７の表面を摺動することとなる。その円滑な摺動を可能とするため、天面部２０ｃの裏面側にはスペーサー部２０ｆが形成されている。
【００３５】
スペーサー部２０ｆは、例えば、天面部２０ｃの裏面に周方向に沿って異なる径をもつ２つのリング状の突起として形成されており、天面部２０ｃとタッチパッド７との隙間が、全周に渡って均一になるように、全周が同一の高さに形成されている。なお、天面部２０ｃとタッチパッド７間にスペーサー部２０ｆがないと、タッチパッド７などの反り・うねり等により、天面部２０ｃとタッチパッド７間には不均一で微小な間隙Δｄ（空気層）が存するため、例えば、回転操作中に操作ノブ２０（天面部２０ｃ）が傾くなどして間隙Δｄが変動すると、手指入力されたように誤動作するおそれがあり、また、手指入力時にΔｄが変動すると、手指位置に対する出力が不安定になるおそれもある。これに対し、スペーサー部２０ｆ（高さｄ＝０．２ｍｍ＞＞Δｄ）を有する構成では、タッチパッド７などの反り・うねり等によって間隙Δｄが存しても、天面部２０ｃとタッチパッド７間には１／（ｄ+Δｄ）に応じた容量が生じるため、手指の操作位置によりΔｄが変化しても容量があまり大きくは変動しないので、回転操作中に天面部２０ｃが傾くなどしても誤動作を生じるおそれがなくなり、また、手指の位置に関する出力をより安定化できるので好ましい。また、タッチパッド７の表面には、操作ノブ２０との摩擦を低減するため、摩擦抵抗の少ない表面を有するポリエチレン等からなる保護シート（図示略）が設けられている。
【００３６】
このように、天面部２０ｃとタッチパッド７の間にスペーサー部２０ｆが形成されていることにより、操作ノブ２０が回転する際に、タッチパッド７の表面を円滑に摺動できると共に、支持弾性体２３により付勢されたタッチパッド７と天面部２０ｃとの間隔を、安定的に確保することができ、操作性に優れた入力装置を提供することができる。
【００３７】
本実施形態では、スペーサー部２０ｆを操作ノブ２０の天面部２０ｃに一体的に形成しているが、タッチパッド７側にスペーサー部が形成されていてもよい。また、スペーサー部は操作ノブ２０やタッチパッド７と別部品であってもよく、いずれにしても天面部２０ｃとタッチパッド７の表面との間の隙間を全周に渡って均一とするものであればよい。
【００３８】
次に、操作体６と回転検出部８及び押圧検出部９につき説明する。図２と図３に示すように、操作体６を構成する操作ノブ２０は、天面部２０ｃの裏面側から下方へ垂設されて突出する軸部２０ｇを有する。タッチパッド７には、軸部２０ｇを挿通させて空間部２１ｆに導く挿通孔７ａが形成されている。なお、空間部２１ｆは、基部材５の内部から中空支持体１１の内方にかけて連通するように形成されている。
【００３９】
空間部２１ｆ内において、軸部２０ｇの先端部（図中下端部）延長線上には連動軸部３２が連結される。軸部２０ｇと連動軸部３２は、カム部材３１によって連結されており、操作体６の押圧操作により軸方向に移動し、操作体６の回転操作により周方向に回転する。カム部材３１は、嵌入された軸部２０ｇを固定する上側軸挿入部３１ａと、嵌入された連動軸部３２の上端部を固定する下側軸挿入部３１ｂを備えて両者を連結すると共に、周面にはカム面３１ｃが設けられている。
【００４０】
図５には、カム部材３１と中空支持体１１の模式的な断面図を示している。この図に示すように、カム部材３１の周面には複数のカム突起３１ａを有するカム面３１ｂが形成されている。一方、中空支持体１１の内面には、板バネからなる弾性部１３が設けられている。弾性部１３には、中央部にカム部材３１に向けて突出する板バネ突起１３ａが屈曲形成されている。操作ノブ２０が回転操作されてカム部材３１が回転すると、所定角度毎にカム突起１３ａの先端部が板バネ突起１３ａと係脱し、操作ノブ２０の回転操作に対するクリック感触を付与することができる。
【００４１】
このように、本実施形態では軸部２０ｇと連動軸部３２を連結するカム部材３１にカム突起３１ａを設け、基部材５側に弾性部１３を設けたが、逆に基部材５側にカム突起を設け、軸部２０ｇ側に弾性部を設けるようにしてもよい。
【００４２】
図２に示すように、連動軸部３２は、空間部２１ｆ内を上下方向に伸びて、下端部にはリング状の平面部分を有してなる押圧動作部３２ｂが形成されている。押圧動作部３２ｂは、基板１０に配置される押圧検出部９と対向しており、操作体６が押圧操作されて軸部２０ｇ及び連動軸部３２が軸方向に沿って下方に移動すると、押圧検出部９を押圧する。すなわち、押圧動作部３２ｂは、操作体６の押圧動作に伴い押圧検出部９に対する検出動作をなすものである。これにより、操作体６における押圧操作を検出することができる。押圧検出部９は、連動軸部３２に設けられる押圧動作部３２ｂと対向するため、基板１０において、支持体２１により形成される空間部２１ｆに臨む位置に配置されている。
【００４３】
また、図３に示すように、連動軸部３２の下端部には、連動軸部３２より大径円筒状のコード板３３が設けられる。コード板３３は、周面の下端部側に周方向に沿って複数のスリット３３ａが形成されており、操作体６が回転操作されて軸部２０ｇ及び連動軸部３２が周方向に回転すると、回転検出部８によってその回転位置が検出され、操作体６における回転操作を検出することができる。
【００４４】
図３に示すように、タッチパッド７には、電源供給やデータの出力のため、基板１０から取り出されたケーブル１４が接続されている。このケーブル１４は、支持体２１の外周面より外方を通ってタッチパッド７の下面に接続される。
【００４５】
このように、操作ノブ２０に軸部２０ｇを設け、タッチパッド７に形成した挿通孔７ａを介して軸部２０ｇを支持体２１内に形成される空間部２１ｆ内に導くと共に、この空間部２１ｆを介して、軸部２０ｇをコード板３３や押圧動作部３２ｂに連係させるようにしたので、操作体６の回転操作や押圧操作の検出に必要な部品を、入力装置２の中央部に集約することができる。特に、回転検出部８や押圧検出部９を、支持体２１の外方ではなく、空間部２１ｆに臨むように配置することができるので、入力装置２の径方向の大きさを抑えることができ、小型化を図ることができる。
【００４６】
また、カム部材３１と弾性部１３により形成されるクリック機構を、空間部２１ｆ内に配置することができるので、クリック機構をコンパクトに構成して円滑なクリック感触を付与でき、入力装置２の径方向の大きさを、さらに効率的に抑えることができる。また、軸部２０ｇと連動軸部３２との連結部材がクリック機構を兼ねる構成、具体的には、連結部材をカム部材３１とすることにより、装置全体をさらに小型化できる。さらに、操作ノブ２０の回転支持部となる軸受部２２とは異なる位置にクリック機構を設けることができるので、軸部２０ｇで回転荷重を受ける必要がなく、軸部２０ｇを細径としてタッチパッド７に形成する挿通孔７ａを小さく形成することができる。これにより、タッチパッド７に孔を形成することによる性能低下を防止することができる。
【００４７】
また、操作体６をなす支持体２１及び操作ノブ２０につき、支持体２１に固定される内輪部２２ｂと操作ノブ２０に固定される外輪部２２ａとを互いに回転自在とする軸受部２２により、操作ノブ２０が支持体２１の周面に沿って回転自在とされることにより、操作ノブ２０の操作を、確実にがたつきなく円滑に行うことができる。
【００４８】
以上、本発明の実施形態について説明したが、本発明の適用は本実施形態には限られず、その技術的思想の範囲内において様々に適用されうるものである。
【符号の説明】
【００４９】
１    センターコンソール
２    入力装置
３    スイッチ
５    基部材
６    操作体
７    タッチパッド（静電容量式タッチパッド）
７ａ  挿通孔
８    回転検出部
９    押圧検出部
１０    基板
１１    中空支持体（操作体支持部）
１３    弾性部
２０    操作ノブ
２０ｃ  天面部
２０ｆ  スペーサー部
２０ｇ  軸部
２１    支持体
２１ｆ  空間部
２２    軸受部
２２ａ  外輪部
２２ｂ  内輪部
２３    支持弾性体
２４    押圧弾性体
３１    カム部材
３１ｃ  カム部
３１ｄ  カム面
３２    連動軸部
【図１】
0005626591.tif 000002
【図２】
0005626591.tif 000003
【図３】
0005626591.tif 000004
【図４】
0005626591.tif 000005
【図５】
0005626591.tif 000006
【図６】
0005626591.tif 000007